(57)【要約】【課題】制御プレーンパスのホップ数が多くても、ＮＭＳの処理負荷を増大させることなく制御プレーンパスの監査を実施できるようにする。【解決手段】通信システムは、自律分散制御に対応する通信装置群と、前記通信装置群に設定された制御プレーンパスを管理するネットワーク管理装置とを含む。前記ネットワーク管理装置は、ネットワーク保守者から指定された監査対象の制御プレーンパスの始点側の通信装置に対し、前記監査対象の制御プレーンパスの情報を含んだ監査要求メッセージを送信する。前記通信装置群は、前記監査要求メッセージを受信すると、前記監査要求メッセージに含まれる制御プレーンパスの情報と、自装置側に設定されている制御プレーンパスの情報との照合を行ってから、前記監査対象の制御プレーンパスの次ホップの通信装置に対し、前記監査要求メッセージを転送する。【選択図】図１
2013106137.tif 000002
【特許請求の範囲】
【請求項１】
自律分散制御に対応する通信装置群と、前記通信装置群に設定された制御プレーンパスを管理するネットワーク管理装置とを含み、
前記ネットワーク管理装置は、ネットワーク保守者から指定された監査対象の制御プレーンパスの始点側の通信装置に対し、前記監査対象の制御プレーンパスの情報を含んだ監査要求メッセージを送信し、
前記通信装置群は、前記監査要求メッセージを受信すると、前記監査要求メッセージに含まれる制御プレーンパスの情報と、自装置側に設定されている制御プレーンパスの情報との照合を行ってから、前記監査対象の制御プレーンパスの次ホップの通信装置に対し、前記監査要求メッセージを転送することを特徴とする通信システム。
【請求項２】
前記通信装置群は、前記監査要求メッセージの所定の領域に、前記監査要求メッセージに含まれる制御プレーンパスの情報と自装置側に設定されている制御プレーンパスの情報との照合結果を書き込んでから、前記監査対象の制御プレーンパスの次の通信装置に対し、前記監査要求メッセージを送信し、
前記ネットワーク管理装置は、前記照合結果が書き込まれた前記監査要求メッセージを受信することにより、前記制御プレーンパスの監査結果を受け取る請求項１の通信システム。
【請求項３】
前記監査要求メッセージは、前記監査要求メッセージに対し応答すべき通信装置を指定する情報を含み、
前記監査要求メッセージにて指定された通信装置が、前記ネットワーク管理装置に対し、前記照合結果が書き込まれた前記監査要求メッセージを送信する請求項２の通信システム。
【請求項４】
前記ネットワーク管理装置は、ネットワーク保守者から、監査対象の制御プレーンパスとして、複数の制御プレーンパスの選択を受け付け、
前記複数の制御プレーンパスの始点側の通信装置に対して、前記監査要求メッセージを送信する請求項１から３いずれか一の通信システム。
【請求項５】
自律分散制御に対応する通信装置群と、前記通信装置群に設定された制御プレーンパスを管理するネットワーク管理装置とを含む通信システムにおいて、
前記ネットワーク管理装置から制御プレーンパスの監査要求メッセージを受信した第１の通信装置が、前記監査要求メッセージに含まれる制御プレーンパスの情報と、自装置側に設定されている制御プレーンパスの情報との照合を行ってから、前記制御プレーンパスの次ホップの通信装置に対し、前記監査要求メッセージを転送するステップと、
前記制御プレーンパスの前ホップの通信装置から、前記監査要求メッセージの転送を受けた第２〜第Ｎの通信装置が、前記監査要求メッセージに含まれる制御プレーンパスの情報と、自装置側に設定されている制御プレーンパスの情報との照合を行ってから、前記制御プレーンパスの次ホップの通信装置に対し、前記監査要求メッセージを転送するステップと、を含むこと、
を特徴とする制御プレーンパスの監査方法。
【請求項６】
前記第１〜第Ｎの通信装置は、前記監査要求メッセージの所定の領域に、前記監査要求メッセージに含まれる制御プレーンパスの情報と自装置側に設定されている制御プレーンパスの情報との照合結果を書き込んでから、前記監査対象の制御プレーンパスの次ホップの通信装置に対し、前記監査要求メッセージを転送し、
前記監査要求メッセージに含まれる情報により指定された通信装置が、前記ネットワーク管理装置に対し、前記照合結果が書き込まれた前記監査要求メッセージを送信する請求項５の制御プレーンパスの監査方法。
【請求項７】
自律分散制御に対応する通信装置群に設定された制御プレーンパスを管理するネットワーク管理装置と接続され、
前記ネットワーク管理装置または他の通信装置から、制御プレーンパスの監査要求メッセージを受信すると、前記監査要求メッセージに含まれる制御プレーンパスの情報と、自装置側に設定されている制御プレーンパスの情報との照合を行う監査処理部と、
前記制御プレーンパスの次ホップの通信装置に対し、前記監査要求メッセージを転送する監査メッセージ処理部と、を備えたこと、
を特徴とする通信装置。
【請求項８】
前記監査要求メッセージの所定の領域に、前記監査要求メッセージに含まれる制御プレーンパスの情報と自装置側に設定されている制御プレーンパスの情報との照合結果を書き込んでから、前記監査対象の制御プレーンパスの次ホップの通信装置に対し、前記監査要求メッセージを転送する請求項７の通信装置。
【請求項９】
前記監査要求メッセージには、前記監査要求メッセージに対し応答すべき通信装置を指定する情報が含まれており、
自装置が、前記監査要求メッセージにて指定された通信装置である場合、前記ネットワーク管理装置に対し、前記照合結果が書き込まれた前記監査要求メッセージを送信する請求項８の通信装置。
【請求項１０】
請求項７から９いずれか一の通信装置に対し、前記制御プレーンパスの情報を含んだ監査要求メッセージを送信するネットワーク管理装置。
【発明の詳細な説明】
【技術分野】
【０００１】
本発明は、通信システム、制御プレーンパスの監査方法、通信装置およびネットワーク管理装置に関し、特に、各通信装置が自律分散制御を行う通信システム、制御プレーンパスの監査方法、通信装置およびネットワーク管理装置に関する。
【背景技術】
【０００２】
特許文献１に、手動設定パスで使用するラベルとＧＭＰＬＳ（Ｇｅｎｅｒａｌｉｚｅｄ  Ｍｕｌｔｉ−Ｐｒｏｔｏｃｏｌ  Ｌａｂｅｌ  Ｓｗｉｔｃｈｉｎｇ）／ＡＳＯＮ（Ａｕｔｏｍａｔｉｃａｌｌｙ  Ｓｗｉｔｃｈｅｄ  Ｏｐｔｉｃａｌ  Ｎｅｔｗｏｒｋ）等自律分散プロトコル設定パスで使用するラベルとを区別可能とし、パスが設定できなくなるのを防ぐこと可能なノード装置が開示されている。同文献によると、このノード装置は、パス設定前に予め定義された手動設定パスが使用するラベルと自律分散プロトコル設定パスが使用するラベルとを少なくとも格納するパス設定ラベル情報記憶手段（パス設定ラベル情報記憶部）と、パス設定ラベル情報記憶手段の格納内容を参照して手動設定パスの設定及び自律分散プロトコル設定パスの設定を実行する資源管理手段（資源管理部）とを有する、とされている。
【０００３】
特許文献２には、自律分散制御対応装置及び自律分散制御非対応装置が混在したネットワークにおいて、自律分散制御非対応装置を中継した自律分散制御によるパス設定を行った場合、設定したパスの状態を認識できるネットワークシステム、通信装置、パス管理方法及びプログラムが開示されている。同文献によると、この自律分散制御対応装置は、自律分散制御対応装置と、自律分散制御非対応装置とを介した経路である仮想リンクを示す仮想リンク情報に対して、仮想リンクの状態を示す警報情報を対応付けて管理する仮想リンク情報管理手段と、仮想リンクに自律分散制御パスを設定するパス設定手段と、自律分散制御パスから、ＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）のＰＯＨ（Ｐａｔｈ  ＯｖｅｒＨｅａｄ）情報又はＳＯＨ（Ｓｅｃｔｉｏｎ  ＯｖｅｒＨｅａｄ）情報を収集する収集手段と、収集手段により収集されたＰＯＨ情報又はＳＯＨ情報に含まれる警報情報に基づいて、仮想リンク情報管理手段により管理される警報情報の更新を行う更新手段と、を有する、とされている。
【先行技術文献】
【特許文献】
【０００４】
【特許文献１】特開２００９−１７１５０号公報
【特許文献２】特開２００９−１７７５９９号公報
【発明の概要】
【発明が解決しようとする課題】
【０００５】
以下の分析は、本発明によって与えられたものである。上記ＧＭＰＬＳ／ＡＳＯＮ等の自律分散制御の通信システムでは、ＵＮＩ（Ｕｓｅｒ  Ｎｅｔｗｏｒｋ  Ｉｎｔｅｒｆａｃｅ）やＥ−ＮＮＩ（Ｅｘｔｅｒｉｏｒ  Ｎｅｔｗｏｒｋ−ｔｏ−Ｎｅｔｗｏｒｋ  Ｉｎｔｅｒｆａｃｅ）で接続された外部装置又はネットワーク管理システム（Ｎｅｔｗｏｒｋ  Ｍａｎａｇｅｍｅｎｔ  Ｓｙｓｔｅｍ。以下、単に「ＮＭＳ」または「ネットワーク管理装置」という。）からの指示により制御プレーンを利用して制御プレーンパスを設定する。
【０００６】
このようなＧＭＰＬＳ／ＡＳＯＮ等の自律分散制御の通信システムにおいて、制御プレーンで設定した制御プレーンパスの情報はパスの経路上の各ＮＥ（Ｎｅｔｗｏｒｋ  Ｅｌｅｍｅｎｔ；ネットワーク要素。以下、単に「ＮＥ」または「通信装置」という。）とＮＭＳに記録される。
【０００７】
ＮＭＳは、制御プレーンパスの情報を管理し、必要に応じて、ネットワーク保守者に制御プレーンパスが設定された経路や制御プレーンパスの利用したラベルを提示する。基本的には、ＮＭＳに管理されている制御プレーンパスの情報と、各ＮＥに保持されている制御プレーンパスの情報は整合しているはずであるが、プログラムのバグや通信障害の理由により、ＮＥが保持する制御プレーンパスの情報とＮＭＳが保持する制御プレーンパスの情報が一致しないことがある。
【０００８】
このため、ＮＥが保持する制御プレーンパスの情報とＮＭＳが保持する制御プレーンパスの情報の情報が整合していることを確認（以下、ＮＥが保持する制御プレーンパスの情報とＮＭＳが保持する制御プレーンパスの情報とを照合し、その整合性を確認することを「監査」と呼ぶ。）する必要がある。例えば、ＮＭＳが制御プレーンパス上のすべてのＮＥから個別に制御プレーンパスの情報を収集し、収集した制御プレーンパスの情報とＮＭＳが保持する制御プレーンパスの情報とを照合してその一致、不一致を確認する方法が考えられる。しかしながら、このような方法を採った場合、制御プレーンパスのホップ数が多くなるほどＮＭＳが情報を取得するＮＥの数が増加し、ＮＭＳの処理負荷が増加してしまうという問題点がある。
【０００９】
本発明は、上記した事情に鑑みてなされたものであって、その目的とするところは、制御プレーンパスのホップ数が多くても、ＮＭＳの処理負荷を増大させることの無い制御プレーンパスの監査方法、該方法を実施できる通信システム、通信装置およびネットワーク管理装置を提供することにある。
【課題を解決するための手段】
【００１０】
本発明の第１の視点によれば、自律分散制御に対応する通信装置群と、前記通信装置群に設定された制御プレーンパスを管理するネットワーク管理装置とを含み、前記ネットワーク管理装置は、ネットワーク保守者から指定された監査対象の制御プレーンパスの始点側の通信装置に対し、前記監査対象の制御プレーンパスの情報を含んだ監査要求メッセージを送信し、前記通信装置群は、前記監査要求メッセージを受信すると、前記監査要求メッセージに含まれる制御プレーンパスの情報と、自装置側に設定されている制御プレーンパスの情報との照合を行ってから、前記監査対象の制御プレーンパスの次ホップの通信装置に対し、前記監査要求メッセージを転送する通信システムが提供される。
【００１１】
本発明の第２の視点によれば、自律分散制御に対応する通信装置群と、前記通信装置群に設定された制御プレーンパスを管理するネットワーク管理装置とを含む通信システムにおいて、前記ネットワーク管理装置から制御プレーンパスの監査要求メッセージを受信した第１の通信装置が、前記監査要求メッセージに含まれる制御プレーンパスの情報と、自装置側に設定されている制御プレーンパスの情報との照合を行ってから、前記制御プレーンパスの次ホップの通信装置に対し、前記監査要求メッセージを転送するステップと、前記制御プレーンパスの前ホップの通信装置から、前記監査要求メッセージの転送を受けた第２〜第Ｎの通信装置が、前記監査要求メッセージに含まれる制御プレーンパスの情報と、自装置側に設定されている制御プレーンパスの情報との照合を行ってから、前記制御プレーンパスの次ホップの通信装置に対し、前記監査要求メッセージを転送するステップと、を含む制御プレーンパスの監査方法が提供される。本方法は、自律分散制御に対応する通信装置という、特定の機械に結びつけられている。
【００１２】
本発明の第３の視点によれば、自律分散制御に対応する通信装置群に設定された制御プレーンパスを管理するネットワーク管理装置と接続され、前記ネットワーク管理装置または他の通信装置から、制御プレーンパスの監査要求メッセージを受信すると、前記監査要求メッセージに含まれる制御プレーンパスの情報と、自装置側に設定されている制御プレーンパスの情報との照合を行う監査処理部と、前記制御プレーンパスの次ホップの通信装置に対し、前記監査要求メッセージを転送する監査メッセージ処理部と、を備えた通信装置が提供される。
【００１３】
本発明の第４の視点によれば、上記した通信装置に対し、前記制御プレーンパスの情報を含んだ監査要求メッセージを送信する前記ネットワーク管理装置が提供される。
【発明の効果】
【００１４】
本発明によれば、制御プレーンパスのホップ数が多くとも、ＮＭＳの処理負荷を増大させることなく制御プレーンパスの監査を実施することができる。
【図面の簡単な説明】
【００１５】
【図１】本発明の一実施形態を説明するための図である。
【図２】本発明の第１の実施形態の構成を表わした図である。
【図３】本発明の第１の実施形態の通信装置（ＮＥ）の構成を表わしたブロック図である。
【図４】本発明の第１の実施形態の通信装置（ＮＥ）の制御プレーンパス情報の格納テーブルの一例を表わした図である。
【図５】本発明の第１の実施形態のネットワーク管理システム（ＮＭＳ）の構成を表わしたブロック図である。
【図６】本発明の第１の実施形態のネットワーク管理システム（ＮＭＳ）の制御プレーンパス情報の格納テーブルの一例を表わした図である。
【図７】本発明の第１の実施形態のネットワーク管理システム（ＮＭＳ）のクロスコネクト情報の格納テーブルの一例を表わした図である。
【図８】本発明の第１の実施形態で用いる制御プレーンパス監査要求メッセージの構成例を表わした図である。
【図９】制御プレーンパスの一例を示す図である。
【図１０】本発明の第１の実施形態の動作を表わしたシーケンス図である。
【図１１】複数の制御プレーンパスの監査を行う場合の例を説明するための図である。
【図１２】複数の制御プレーンパスの監査を行う場合の別の例を説明するための図である。
【発明を実施するための形態】
【００１６】
はじめに本発明の一実施形態の概要について図面を参照して説明する。なお、この概要に付記した図面参照符号は、理解を助けるための一例として各要素に便宜上付記したものであり、本発明を図示の態様に限定することを意図するものではない。
【００１７】
本発明は、その一実施形態において、図１に示すように、ＧＭＰＬＳ／ＡＳＯＮ等の自律分散制御に対応する通信装置群（図１のＮＥ２００Ａ〜２０３Ａ、２０５Ａ）と、これら通信装置群に設定された制御プレーンパスを管理するネットワーク管理装置（図１のＮＭＳ１Ａ）とを含む構成にて実現できる。
【００１８】
ネットワーク管理装置（図１のＮＭＳ１Ａ）は、ネットワーク保守者から監査対象の制御プレーンパスの指定を受け付ける。そして、ネットワーク管理装置（図１のＮＭＳ１Ａ）は、前記監査対象の制御プレーンパスの始点側の通信装置（例えば、図１のＮＥ２００Ａ）に対し、前記制御プレーンパスの情報を含んだ監査要求メッセージを送信する。通信装置（例えば、図１のＮＥ２００Ａ）は、前記監査要求メッセージを受信すると、前記監査要求メッセージに含まれる制御プレーンパスの情報と、自装置側に設定されている制御プレーンパスの情報との照合を行ってから、前記制御プレーンパスの次ホップの通信装置（例えば、図１のＮＥ２０１Ａ）に対し、前記監査要求メッセージを転送する。
【００１９】
同様に、次ホップの通信装置（例えば、図１のＮＥ２０１Ａ）は、前記制御プレーンパスの監査要求メッセージを受信すると、前記監査要求メッセージに含まれる制御プレーンパスの情報と、自装置側に設定されている制御プレーンパスの情報との照合を行ってから、前記制御プレーンパスの次ホップの通信装置（例えば、図１のＮＥ２０３Ａ）に対し、前記監査要求メッセージを転送する。
【００２０】
このように、制御プレーンパス上の通信装置が、それぞれ、監査要求メッセージに含まれる制御プレーンパスの情報と、自装置側に設定されている制御プレーンパスの情報との照合を行ってから、次ホップの通信装置に対し、監査要求メッセージを転送していく。
【００２１】
ネットワーク管理装置（図１のＮＭＳ１Ａ）側で保持されている制御プレーンパスの情報と通信装置側に設定されている制御プレーンパスの情報との不一致は、次のような方法によりネットワーク管理装置（図１のＮＭＳ１Ａ）に伝達させることができる。例えば、制御プレーンパス上の通信装置は、自装置に設定されている制御プレーンパスの情報の不一致を検出した場合、制御プレーンパスの監査要求メッセージにその旨を書き込んでから次ホップに転送する。そして、制御プレーンパスの最終ホップの通信装置（例えば、図１のＮＥ２０５Ａ）が、ネットワーク管理装置（図１のＮＭＳ１Ａ）に対し、前記情報が書き込まれた制御プレーンパス監視応答を送信する。
【００２２】
また別の方法としては、個々の通信装置が、前記ネットワーク管理装置（図１のＮＭＳ１Ａ）側で保持されている制御プレーンパス情報との不一致を検出した時点で、ネットワーク管理装置（図１のＮＭＳ１Ａ）に、その旨を通知するようにしてもよい。また、前記不一致検出時の通知は、前記情報が書き込まれた制御プレーンパス監視応答を用いてもよいし、その他必要な情報が含まれたエラーメッセージを送信するようにしてもよい。
【００２３】
また別の方法としては、最終ホップの通信装置（図１のＮＥ２０５Ａ）ではなく、任意に設定された先頭からＮ番目（但し、Ｎ≦制御プレーンパス長）の通信装置が前記情報が書き込まれた制御プレーンパス監視応答を送信するようにしてもよい。
【００２４】
以上のようにすることにより、通信装置により制御プレーンパス情報の監査が行われていくため、制御プレーンパスのホップ数が多くても、ネットワーク管理装置（ＮＭＳ）の処理負荷が大きくならないという効果が奏される。
【００２５】
［第１の実施形態］
続いて、本発明の第１の実施形態について図面を参照して詳細に説明する。本実施形態では、ＧＭＰＬＳ／ＡＳＯＮ等の自律分散制御ネットワークに本発明を適用する。ＧＭＰＬＳ／ＡＳＯＮ等の自律分散制御対応ネットワークは、ＧＭＰＬＳ／ＡＳＯＮ等の自律分散制御に対応した通信装置（ＮＥ）及び通信リンクから構成されるネットワークである。
【００２６】
自律分散制御対応ネットワーク内でパスを設定する場合、各通信装置（ＮＥ）は保守者の指示に従い自律分散制御で経路制御及びシグナリングを実行する。より具体的には、各通信装置（ＮＥ）は、それぞれのラベル予約・スイッチ設定を行い、指定された始点・終点通信装置間のパスを設定または切断する。このような自律分散制御対応ネットワークでは、パケットやＴＤＭ（時分割多重）、ＷＤＭ（波長多重）などの通信技術によってエンド・トゥ・エンドのパスが提供される。
【００２７】
図２は、本発明の第１の実施形態の構成を表わした図である。図２を参照すると、自律分散制御に対応したＮＥ２００〜２０６と、これらＮＥ２００〜２０６によって構成されたネットワークを管理するＮＭＳ１とを含む構成が示されている。
【００２８】
ＮＥ２００〜２０６は、ラベル（パケット、タイムスロット、波長等の識別子）の情報に基づき、クロスコネクト（又は、スイッチング）を実施する通信装置である。また、ＮＥ２００〜２０６は、自律分散制御に対応しており、ＧＭＰＬＳ／ＡＳＯＮ等の自律分散制御プロトコルによって、自律分散制御パスの経路制御やパス管理（パスの設定／維持／切断）を実施する。
【００２９】
ＮＥ２００〜２０６間は、１本又はそれ以上の光ファイバ等の通信リンクＤＬ０〜ＤＬ９で接続されている。ＮＥ２００〜２０６は、前記通信リンクが接続されたポートについて、それぞれ一意に付与されたポート番号（ポート番号は、図２において＃１〜＃４と表記。）を用いて管理を行なっている。また、ＮＥ２００〜２０６間は、制御メッセージ交換リンクＣＬ０〜ＣＬ９で接続されている。通信リンクＤＬ０〜ＤＬ９は、ユーザ情報が通るリンクであるのに対して、制御メッセージ交換リンクＣＬ０〜ＣＬ９は、ＮＥ２００〜２０６間の制御情報の交換に用いるリンクである。なお、図２の例では、通信リンクと制御メッセージ交換リンクがそれぞれ独立して設けられているが、ネットワークの運用方法によっては通信リンクと制御メッセージ交換リンクが同一の物理リンクを共有することもある。
【００３０】
ＮＭＳ１は、ＮＥ２００〜２０６の監視／保守（例えば、パスの設定・切断要求、通信装置撤去管理）を行う機能を有し、ネットワーク保守者とネットワークとのインターフェースとなるシステムである。ＮＭＳ１とＮＥ２００〜２０６はマネージメントリンクＭＬ１〜ＭＬ６で接続されている。ＮＭＳ１は、このマネージメントリンクＭＬ１〜ＭＬ６を介してＮＥ２００〜２０６の設定を行う。
【００３１】
続いて、上記ＮＥ２００〜２０６及びＮＭＳ１について、より詳細に説明する。図３は、ＮＥ２０３の詳細構成を表したブロックである。図３を参照すると、記憶装置１０と、監査メッセージ処理部２１と、監査処理部２２と、自律分散スイッチング部２３と、装置制御処理部２４と、を備えた構成が示されている。なお、ここでは、ＮＥ２０１の構成のみを示しているが、ＮＥ２００、ＮＥ２０２〜ＮＥ２０６も同様の構成とすることができる。
【００３２】
記憶装置１０には、制御プレーンパス情報記憶部１１と、設定情報記憶部１２とが含まれている。制御プレーンパス情報記憶部１１は、制御プレーンパス情報を格納するテーブル（以下、「パス管理情報テーブル」という。）を記憶する。設定情報記憶部１２は、その他一般的な自律分散制御に対応する通信装置が持つ設定情報等を記憶する。
【００３３】
図４は、図２のＮＥ２０１の制御プレーンパス情報記憶部１１に保持されているパス管理情報テーブルである。図４のパス管理情報テーブルには、ＮＥ２０１における各制御プレーンパスのＩＤ（ＰＡＴＨ  ＩＤ）、クロスコネクト情報（図４のＩｎ側ポート番号フィールド〜次ノードＩＤフィールド）やその他の情報を対応付けたエントリが格納されている。なお、このようなパス管理情報テーブルとしては、自律分散制御に対応した通信装置に具備されている同様のテーブルを用いることができる。
【００３４】
設定情報記憶部１２は、自律分散制御に対応する通信装置が持つ設定情報等を記憶する。
【００３５】
装置制御処理部２４は、ＮＭＳ１からのコマンド要求の処理やＮＭＳ１への通知処理、隣接するＮＥからのシグナリング処理を適切な処理部に転送する。
【００３６】
監査メッセージ処理部２１は、ＮＭＳ１からの制御プレーンパス監査要求メッセージや隣接するＮＥからの制御プレーンパス監査要求メッセージの受信をトリガとして、制御プレーンパス監査要求メッセージに含まれるＮＭＳ１が保持する制御プレーンパス情報を監査処理部２２に出力し、その結果を用いて隣接ＮＥ宛の制御プレーンパス監査要求メッセージを作成する。また、監査メッセージ処理部２１は、自装置が監査対象の制御プレーンパスの終端のＮＥである場合、ＮＭＳ１宛ての制御プレーンパス監査応答メッセージを作成する。
【００３７】
監査処理部２２は、ＮＭＳ１または隣接するＮＥから受信した制御プレーンパス監査要求メッセージに含まれる、ＮＭＳ１が保持する制御プレーンパスの情報と制御プレーンパス情報記憶部１１に保持されている制御プレーンパス情報とを監査（比較検証）し、その結果を監査メッセージ処理部２１に出力する。
【００３８】
自律分散スイッチング部２３は、自律分散制御プロトコルによる経路制御やパス管理、クロスコネクト（又は、スイッチング）等を実施する。このような自律分散スイッチング部２３は、一般的な自律分散制御に対応する通信装置が有している同等の処理部にて実現できる。
【００３９】
図５は、ＮＭＳ１の詳細構成を表したブロックである。図５を参照すると、記憶装置１１０と、監査処理部１２２と、ネットワーク管理部１２３と、ＮＭＳ制御処理部１２４と、を備えた構成が示されている。
【００４０】
記憶装置１１０には、制御プレーンパス情報記憶部１１１と、ネットワーク設定情報記憶部１１２とが含まれている。制御プレーンパス情報記憶部１１１は、ネットワークに設定した制御プレーンパス情報を格納するテーブル（以下、「パス管理情報テーブル」という。）と、ノードクロスコネクト情報管理テーブルと、を記憶する。ネットワーク設定情報記憶部１２は、その他一般的なＮＭＳが持つ設定情報等を記憶する。
【００４１】
図６は、図４のＮＭＳ１の制御プレーンパス情報記憶部１１１に保持されているパス管理情報テーブルの例である。図６のパス管理情報テーブルには、各ＮＥ２００〜ＮＥ２０５に設定した制御プレーンパスのＩＤ（ＰＡＴＨ  ＩＤ）、送信元ノードＩＤ、送信先ノードＩＤ、制御プレーンパス上のノードクロスコネクト情報（ノードＸＣ情報）やその他の情報を対応付けたエントリが格納されている。
【００４２】
図７は、図４のＮＭＳ１の制御プレーンパス情報記憶部１１１に保持されているノードクロスコネクト情報管理テーブルの例である。図７のノードクロスコネクト情報管理テーブルには、図６のパス管理情報テーブルのノードクロスコネクト情報フィールドに設定される各ノードのクロスコネクト情報の詳細情報が格納されている。例えば、図６のＰＡＴＨ  ＩＤ＝ＰＡＨＴ４０１のエントリには、ノードクロスコネクト情報（ノードＸＣ情報）として、ホップ順に４０１０１、４０１０２、４０１０３、４０１０４・・・が設定されている。そして、図７のノードクロスコネクト情報管理テーブルのノードクロスコネクト情報ＩＤ＝４０１０１、４０１０２、４０１０３、４０１０４のエントリを参照することで、各ホップの詳細な内容（ＮＥのＩＤ、Ｉｎ側ポート番号、Ｉｎ−Ｌａｂｅｌ、Ｏｕｔ側ポート番号、Ｏｕｔ−Ｌａｂｅｌ等を把握することが可能となっている。
【００４３】
ＮＭＳ制御処理部１２４は、ＮＭＳ１の各部と情報を授受し、ネットワーク保守者からの監査対象の制御プレーンパスの選択の受付処理や、ＮＥから受信した各種通知、ＮＥへのコマンドの送信等を行う。
【００４４】
監査処理部１２２は、ネットワーク保守者からパス監査要求を受け付けると、パス管理情報テーブル、クロスコネクト情報管理テーブルから、パス監査要求を受けたパスを検索し、制御プレーンパス監査要求メッセージを作成する。また、監査処理部１２２は、ＮＥから制御プレーンパス監査応答を受信すると、所定の表示装置に監査の結果を表示する。
【００４５】
図８は、監査処理部１２２が作成する制御プレーンパス監査要求メッセージの構成例を示す図である。メッセージＩＤフィールドには、制御プレーンパス監査要求メッセージを一意に特定するためのＩＤが設定される。要求／応答フィールドには、当該メッセージが制御プレーンパス監査要求メッセージであるのか、制御プレーンパス監査要求メッセージに対する応答であるのかを示す値が設定される。ＰＡＴＨ  ＩＤには、ネットワーク保守者からパス監査要求を受け付けた制御プレーンパスのＩＤが設定される。送信元ＮＥ（始点ＮＥ）は、制御プレーンパスの始点となるＮＥが設定される。送信先ＮＥ（終点ＮＥ）は、制御プレーンパスの終点となるＮＥが設定される。本実施形態では、ＮＭＳ１は、送信元ＮＥ（始点ＮＥ）に対し、制御プレーンパス監査要求メッセージを送信する。送信先ＮＥ（終点ＮＥ）は制御プレーンパス監査応答メッセージを生成するＮＥである。ＮＥクロスコネクト情報０１は、制御プレーンパス上の１番目のＮＥが監査を行うためのフィールドであり、監査結果０１は、その結果を書き込むためのフィールドである。以下、同様に、制御プレーンパス上の各ＮＥ（Ｎ番目まで）のＮＥクロスコネクト情報フィールドと、監査結果フィールドとが設けられている。各ＮＥクロスコネクト情報は、図８の下段に示したように、ＮＥのＩＤ、Ｉｎ側ポート番号（Ｉｎ−Ｐｏｒｔ情報）、Ｉｎ−Ｌａｂｅｌ、Ｏｕｔ側ポート番号、Ｏｕｔ−Ｌａｂｅｌが含まれている。各ＮＥは、監査が済んでいない先頭のＮＥクロスコネクト情報と、自装置のパス管理情報テーブルに保持されている同一ＰＡＴＨ  ＩＤのエントリと照合することで監査を行うことができる。
【００４６】
ネットワーク管理部１２３は、ＮＭＳ１としてのネットワーク管理機能を提供する。このようなネットワーク管理部１２３は、一般的なＮＭＳが有している同等の処理部にて実現できる。
【００４７】
続いて、本実施形態の動作について図面を参照して詳細に説明する。以下の説明では、ＮＭＳ１が、ネットワーク保守者から、図９に示すＰＡＴＨ  ＩＤ＝ＰＡＴＨ４０１の制御プレーンパスの監査要求を受ける例を挙げて説明する。
【００４８】
図１０は、本発明の第１の実施形態の動作を表わしたシーケンス図である。まず、ＮＭＳ１は、ネットワーク保守者から、設定済みの制御プレーンパス（ＰＡＴＨ４０１）を指定して制御プレーンパスの監査要求を受け付ける（ステップＳ００１）。
【００４９】
次に、ＮＭＳ１は、図６に示すパス管理情報テーブルを参照し、指定された制御プレーンパス（ＰＡＴＨ４０１）のエントリを検索する。次に、ＮＭＳ１は、図７に示すクロスコネクト情報テーブルを参照し、ＰＡＴＨ４０１の該当エントリ内にあるノードクロスコネクト情報からクロスコネクト情報をすべて検索する。例えば、図６のパス管理情報テーブルのＰＡＴＨ４０１のエントリには、ノードクロスコネクト情報として、ノードクロスコネクト情報４０１０１、４０１０２、４０１０３、４０１０４、・・・が得られる。ＮＭＳ１は、図７のクロスコネクト情報テーブルから、ノードクロスコネクト情報４０１０１、４０１０２、４０１０３、４０１０４の詳細内容が得られる。ＮＭＳ１は、これらの情報を用いて、図８に示すような制御プレーンパス監査要求メッセージを生成し、制御プレーンパスの送信元ＮＥであるＮＥ２００に送信する（ステップＳ００２）。
【００５０】
制御プレーンパス監査要求メッセージを受信したＮＥ２００は、自装置のパス管理情報テーブルを参照し、制御プレーンパス監査要求メッセージで指定されたＰＡＴＨ  ＩＤ＝ＰＡＴＨ４０１のエントリを検索する。次に、ＮＥ２００は、制御プレーンパス監査要求メッセージのＮＥクロスコネクト情報内の監査が済んでいないＮＥクロスコネクト情報を検索する。次に、ＮＥ２００は、ＮＥ側のパス管理情報テーブルに保持されているＰＡＴＨ  ＩＤ＝ＰＡＴＨ４０１のエントリと、ＮＥクロスコネクト情報とを照合して、監査を実行する。ＮＥ２００は、監査結果を制御プレーンパス監査要求メッセージの監査結果フィールドへ書き込む（ステップＳ００３）。この監査結果としては、ＯＫまたはＮＧの２値を格納するものとしてもよいし、照合対象となっている項目中のＮＧ（不一致）となった項目等を含めるようにしてもよい。
【００５１】
次に、ＮＥ２００は、前記監査結果を書き込んだ制御プレーンパス監査要求メッセージを次ホップであるＮＥ２０１に送信する（ステップＳ００４）。
【００５２】
制御プレーンパス監査要求メッセージを受信したＮＥ２０１は、まず、制御プレーンパス監査要求メッセージ内の送信先ＮＥ（終点ＮＥ）フィールドを参照して、自装置が制御プレーンパスの終点ＮＥであるか否かを判定する（ステップＳ００５）。
【００５３】
ＮＥ２０１は、図６のＰＡＴＨ  ＩＤ＝ＰＡＴＨ４０１のエントリに示すように、終点ＮＥではないので、ＮＥ２０１は同様に、図４に示すＮＥ側のパス管理情報テーブルを参照し、制御プレーンパス監査要求メッセージで指定されたＰＡＴＨ  ＩＤ＝ＰＡＴＨ４０１のエントリを検索する。次に、ＮＥ２０１は、制御プレーンパス監査要求メッセージのＮＥクロスコネクト情報内の監査が済んでいないＮＥクロスコネクト情報を検索する。次に、ＮＥ２０１は、ＮＥ側のパス管理情報テーブルに保持されているＰＡＴＨ  ＩＤ＝ＰＡＴＨ４０１のエントリと、ＮＥクロスコネクト情報とを照合して、監査を実行する。ＮＥ２０１は、監査結果を制御プレーンパス監査要求メッセージの監査結果フィールドへ書き込む（ステップＳ００６）。
【００５４】
次に、ＮＥ２０１は、前記監査結果を書き込んだ制御プレーンパス監査要求メッセージを次ホップであるＮＥ２０３に送信する（ステップＳ００７）。このようにして、制御プレーンパス上のＮＥ（ＰＡＴＨ４０１の場合、ＮＥ２０３、ＮＥ２０５）が、制御プレーンパス監査要求メッセージを用いて監査を実行し、その結果を書き込んで、転送していく。そして、制御プレーンパス監査要求メッセージは、最終ホップであるＮＥ２０６に到達する。
【００５５】
制御プレーンパス監査要求メッセージを受信したＮＥ２０６は、まず、制御プレーンパス監査要求メッセージ内の送信先ＮＥ（終点ＮＥ）フィールドを参照して、自装置が制御プレーンパスの終点ＮＥであるか否かを判定する（ステップＳ００８）。ＮＥ２０６は、図６のＰＡＴＨ  ＩＤ＝ＰＡＴＨ４０１のエントリに示すように、終点ＮＥであるため、以下の処理を行う。
【００５６】
ＮＥ２０６は、自装置のパス管理情報テーブルを参照し、制御プレーンパス監査要求メッセージで指定されたＰＡＴＨ  ＩＤ＝ＰＡＴＨ４０１のエントリを検索する。次に、ＮＥ２０６は、制御プレーンパス監査要求メッセージのＮＥクロスコネクト情報内の監査が済んでいないＮＥクロスコネクト情報（最後のＮＥクロスコネクト情報）を検索する。次に、ＮＥ２０６は、ＮＥ側のパス管理情報テーブルに保持されているＰＡＴＨ  ＩＤ＝ＰＡＴＨ４０１のエントリと、ＮＥクロスコネクト情報とを照合して、監査を実行する。ＮＥ２０６は、監査結果を制御プレーンパス監査要求メッセージの監査結果フィールドへ書き込む（ステップＳ００９）。
【００５７】
次に、ＮＥ２０６は、前記監査結果を書き込んだ制御プレーンパス監査要求メッセージの要求／応答フィールドを「応答」に変更した制御プレーンパス監査応答メッセージを生成し、送信元ＮＥであるＮＥ２００に送信する（ステップＳ０１０）。
【００５８】
送信元ＮＥであるＮＥ２００は、制御プレーンパス監査応答メッセージを受信すると、ＮＭＳ１に転送する（ステップＳ０１１）。
【００５９】
ＮＭＳ１は、制御プレーンパス監査応答メッセージを受信すると、その内容を所定の表示装置に出力し、ネットワーク保守者に提示する（ステップＳ０１２）。
【００６０】
以上、説明したように、本実施形態によれば、ＮＭＳの処理負荷を掛けることなく、ＧＭＰＬＳ／ＡＳＯＮ等の自律分散制御の通信システムにおけるＮＥが保持する制御プレーンパス情報とＮＭＳが保持する制御プレーンパス情報との監査を実行することが可能となる。その理由は、ＮＭＳ１からの指示によりパス上の各ＮＥ２００〜２０６が、自律分散でＮＥ側の制御プレーンパス情報とＮＭＳ１が保持する制御プレーンパス情報の監査を行なうようにしたことにある。即ち、ＮＭＳ１がパス上のすべてのＮＥに個別に制御プレーンパス情報を収集し、ＮＭＳ１自身が収集した情報をもとに、監査を行なうことはしない。
【００６１】
また、本実施形態によれば、上述した監査処理を短時間で実施することが可能となる。その理由は、ＮＭＳ１がパス上のすべてのＮＥに個別に制御プレーンの情報を収集、監査を行なうことはせず、ＮＭＳ１からの指示によりＮＥが自律分散でパスの制御プレーン情報の監査を行なうよう構成したことにある。
【００６２】
以上、本発明の各実施形態を説明したが、本発明は、上記した実施形態に限定されるものではなく、本発明の基本的技術的思想を逸脱しない範囲で、更なる変形・置換・調整を加えることができる。例えば、上記した実施形態の説明で例示したＮＥの数やそのトポロジー構成は、本発明の理解を助けるために簡略化したものであり、より多くのＮＥで構成された複雑なネットワークにも適用することが可能である。
【００６３】
また、上記した実施形態では、ＮＭＳ１が１本の制御プレーンパス（ＰＡＴＨ４０１）を指定して１つのＮＥ（ＮＥ２００）に対して制御プレーンパス監査応答メッセージを送信するものとして説明したが、複数の制御プレーンパスの監査を並列に実施する形態にも変更することができる。
【００６４】
例えば、図１１に示したように、ＮＥ２００に対して、ＰＡＴＨ４０１のほか、ＰＡＴＨ４０２とＰＡＴＨ４０３の監査を要求するようにしてもよい。また例えば、図１２に示したように、ＮＭＳ１が複数の制御プレーンパス（ＰＡＴＨ４０１、ＰＡＴＨ４０４）を指定して、複数のＮＥ（ＮＥ２００、ＮＥ２０４）に対して監査を要求するようにしてもよい。
【００６５】
このように、複数のＮＥに対して並列的に監査を要求することにより、監査の処理効率を高めるとともに、所要時間を低減させることも可能となる。
【００６６】
また、上記した実施形態では、制御プレーンパス監査応答メッセージは、ＮＥ２００を経由して、ＮＭＳ１送信されるものとして説明したが、マネージメントリンクＭＬ６を介して、ＮＥ２０５が直接ＮＭＳ１に送信するようにしてもよい。また、監査要求メッセージの転送の過程で、監査の結果、ＮＥが異常を検出した場合には、その時点で監査要求メッセージの転送を中止し、ＮＭＳ１に通知するようにしてもよい。このようにすれば、ネットワーク保守者に、制御プレーンパスの異常を伝え、早期にその再設定を促すことができる。
【００６７】
最後に、本発明の好ましい形態を要約する。
［第１の形態］
（上記第１の視点による通信システム参照）
［第２の形態］
第１の形態において、
前記通信装置群は、前記監査要求メッセージの所定の領域に、前記監査要求メッセージに含まれる制御プレーンパスの情報と自装置側に設定されている制御プレーンパスの情報との照合結果を書き込んでから、前記監査対象の制御プレーンパスの次の通信装置に対し、前記監査要求メッセージを送信し、
前記ネットワーク管理装置は、前記照合結果が書き込まれた前記監査要求メッセージを受信することにより、前記制御プレーンパスの監査結果を受け取る通信システム。
［第３の形態］
第２の形態において、
前記監査要求メッセージは、前記監査要求メッセージに対し応答すべき通信装置を指定する情報を含み、
前記監査要求メッセージにて指定された通信装置が、前記ネットワーク管理装置に対し、前記照合結果が書き込まれた前記監査要求メッセージを送信する通信システム。
［第４の形態］
第１から第３いずれか一の形態において、
前記ネットワーク管理装置は、ネットワーク保守者から、監査対象の制御プレーンパスとして、複数の制御プレーンパスの選択を受け付け、
前記複数の制御プレーンパスの始点側の通信装置に対して、前記監査要求メッセージを送信する通信システム。
［第５の形態］
（上記第２の視点による制御プレーンパスの監査方法参照）
［第６の形態］
第５の形態において、
前記第１〜第Ｎの通信装置は、前記監査要求メッセージの所定の領域に、前記監査要求メッセージに含まれる制御プレーンパスの情報と自装置側に設定されている制御プレーンパスの情報との照合結果を書き込んでから、前記監査対象の制御プレーンパスの次ホップの通信装置に対し、前記監査要求メッセージを転送し、
前記ネットワーク管理装置は、前記照合結果が書き込まれた前記監査要求メッセージを受信することにより、前記制御プレーンパスの監査結果を受け取る制御プレーンパスの監査方法。
［第７の形態］
第６の形態において、
前記監査要求メッセージには、前記監査要求メッセージに対し応答すべき通信装置を指定する情報が含まれており、
前記監査要求メッセージにて指定された通信装置が、前記ネットワーク管理装置に対し、前記照合結果が書き込まれた前記監査要求メッセージを送信する制御プレーンパスの監査方法。
［第８の形態］
第５から第７いずれか一の形態において、
前記ネットワーク管理装置は、
前記監査対象の制御プレーンパスとして、複数の制御プレーンパスの選択を受け付け、
前記複数の制御プレーンパスの始点側の通信装置に対して、前記制監査要求メッセージを送信する制御プレーンパスの監査方法。
［第９の形態］
（上記第３の視点による通信装置参照）
［第１０の形態］
第９の形態において、
前記監査要求メッセージの所定の領域に、前記監査要求メッセージに含まれる制御プレーンパスの情報と自装置側に設定されている制御プレーンパスの情報との照合結果を書き込んでから、前記監査対象の制御プレーンパスの次ホップの通信装置に対し、前記監査要求メッセージを転送する通信装置。
［第１１の形態］
第１０の形態において、
前記監査要求メッセージには、前記監査要求メッセージに対し応答すべき通信装置を指定する情報が含まれており、
自装置が、前記監査要求メッセージにて指定された通信装置である場合、前記ネットワーク管理装置に対し、前記照合結果が書き込まれた前記監査要求メッセージを送信する通信装置。
［第１２の形態］
（上記第４の視点によるネットワーク管理装置参照）
【００６８】
本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。
【符号の説明】
【００６９】
１、１Ａ  ＮＭＳ  ネットワーク管理システム
１０、１１０  記憶装置
１１、１１１  制御プレーンパス情報記憶部
１２  設定情報記憶部
２１  監査メッセージ処理部
２２、１２２  監査処理部
２３  自律分散スイッチング部
２４  装置制御処理部
１１２  ネットワーク設定情報記憶部
１２３  ネットワーク管理部
１２４  ＮＭＳ制御処理部
２００〜２０６、２００Ａ〜２０３Ａ、２０５Ａ  ネットワーク要素（ＮＥ）
【図１】
2013106137.tif 000003
【図２】
2013106137.tif 000004
【図３】
2013106137.tif 000005
【図４】
2013106137.tif 000006
【図５】
2013106137.tif 000007
【図６】
2013106137.tif 000008
【図７】
2013106137.tif 000009
【図８】
2013106137.tif 000010
【図９】
2013106137.tif 000011
【図１０】
2013106137.tif 000012
【図１１】
2013106137.tif 000013
【図１２】
2013106137.tif 000014